(57)【特許請求の範囲】
【請求項１】
上面に石材が積重されて墓石を構成するために用いられ、且つ、内部に納骨用空間部が設けられた耐震性丘カロート構造物であって、
基板部材の上面の四隅に位置して立設される支柱部材と、隣り合う支柱部材間に形成される開口部を覆うように配設される前後左右の側板部材と、該四隅の支柱部材と該前後左右の側板部材の上に載置される天板部材を具えており、
前記基板部材は、その上面の四隅に窪み部が設けられると共に、各窪み部は、該窪み部と左右隣り合う他の窪み部又は該窪み部と前後隣り合う他の窪み部に、上端開放の排水溝を介して連結されており、該窪み部内の水が該排水溝に流入して、該排水溝の溝底面の長さ方向の中間部分に上下貫設された排水孔より排出されるものとなされており、
前記支柱部材は、その水平な下面に、前記窪み部に嵌め入れられる嵌入突部が突設され、該嵌入突部の外側に存する周縁部分は、該窪み部の上端周縁部分に当接し得るカバー縁面とされており、該当接状態において、該窪み部の上端縁が該カバー縁面で覆い隠されると共に、前記嵌入突部の突部下面と前記窪み部の窪み部底面との間に排水間隙が形成されるものとなされており、
又、前記支柱部材の内側に位置して隣り合う二つの内側支柱側面に、上下端が開放し且つ該内側支柱側面で開放された縦嵌入溝が凹設されており、
又、前記側板部材の側面には、左右隣り合う立設状態の支柱部材に設けられている対向する前記縦嵌入溝に嵌入し得る側面突状部が突設されており、該側面突状部が該縦嵌入溝に嵌め入れられた状態で、該側面の両側部分としてのカバー側面が、該縦嵌入溝の両側縁部分に当接でき、この状態で、該縦嵌入溝の溝縁が該カバー側面で覆い隠されると共に、該側面突状部の先端面と該縦嵌入溝の溝底面との間に縦の排水路が形成されるものとなされており、
又、前記側板部材の下面には、前記排水溝に嵌入し得る下面突状部が設けられており、該下面突状部が前記排水溝に嵌め入れられた状態で、該下面の両側部分としてのカバー下面が、該排水溝の上端の両側部分に当接でき、この状態で、該排水溝の上端の溝縁が該カバー下面で覆い隠されると共に、該下面突状部の下面と該排水溝の溝底面との間に排水路が形成されるものとなされており、
前記縦の排水路と前記排水間隙と前記排水路とが連通されており、
又、前記基板部材と前記支柱部材と前記天板部材は、夫々に設けられた、上下方向に貫通する連結孔が連通せしめられて形成された連通連結孔に連結軸が挿通され、該連結軸の上下端に設けられた各雄ネジ部に上下のナットが螺合されて締め付けられることより、全体が連結一体化されており、該連通連結孔に前記連結軸が挿通された状態で、該連結軸の周囲部分に、縦方向排水路が形成されており、該縦方向排水路を流下した水を、前記下のナットの締め付け部分に生ずる排出部を通して排出可能とされていることを特徴とする墓石を構成する耐震性丘カロート構造物。
【請求項２】
前記窪み部の窪み部底面に、前記排水間隙の水を、前記基板部材における前記縦方向排水路に向けて誘導する水誘導溝を放射状に設けたことを特徴とする請求項１記載の墓石を構成する耐震性丘カロート構造物。
【請求項３】
前記基板部材に設ける連結孔を、前記排水溝を前記窪み部内で延長させたと仮定した場合の該排水溝の溝幅の範囲に全体が納まり或いはその一部が納まるように設けたことを特徴とする請求項１記載の墓石を構成する耐震性丘カロート構造物。
【発明の詳細な説明】
【技術分野】
【０００１】
本発明は、墓石を構成する耐震性丘カロート構造物に関するものである。より詳しくは、排水性に優れて丘カロート構造物の耐震性を長期間に亘って安定的に持続させ得る、墓石を構成する耐震性丘カロート構造物に関するものである。
【背景技術】
【０００２】
石材を順次積重して構築された墓石は、石材相互を面接触状態で積み重ねただけでは、地震力が大きい場合に倒壊しやすい問題があった。そのため、かかる墓石の倒壊を防止するための手段として、特開平１０−３７５３２号公報（特許文献１）が開示する耐震墓石が提案されている。
【０００３】
該耐震墓石は、図４９に示すように、基礎ａ上に基板部材ｂを載置すると共に該基板部材ｂ上に左右の側壁部材ｃ，ｃを立設し、該左右の側壁部材ｃ，ｃ間に後面壁部材ｄと前面下壁部材を挾むことによって、内部に納骨室ｆが設けられた壁組み構造部ｇを形成し、該壁組み構造部ｇの上に天板部材ｈを載置する構成を有していた。そして、前記基礎ａの四隅に立設された下の連結ボルトｊが、前記納骨室ｆの四隅を通る状態で、前記基板部材ｂと天板部材ｈの四隅に上下貫設された挿通孔ｋ，ｍに挿通せしめられ、該天板部材ｈの上面に凹設された凹部ｎで突設されたボルト上端のネジ軸部にナットｑが螺合され締め付けられることによって下台（丘カロート構造物）ｒが構築されており、該下台（丘カロート構造物）ｒは、前記連結ボルトｊによって全体が一体化されることによって下部耐震装置ｓが構成され、該下台（丘カロート構造物）ｒの耐震性が確保されていた。そして該下台（丘カロート構造物）ｒ上に中間石材ｔの複数個が積重されることによって上台ｕが形成されており、最上段の中間石材ｔ１上に竿石ｖが載置され、該竿石ｖと前記各中間石材ｔと前記天板部材ｈの全体が上下貫通する貫通孔ｗに挿通された上の連結ボルトｘによってネジ止めにより一体化されることにより上部耐震装置ｙが構成されていた。かかる下部耐震装置ｓと上部耐震装置ｙとによって、墓石の耐震性を向上させんとするものであった。
【０００４】
ところで、丘カロート構造物上に石材を積重することによって構成された墓石の他の態様としては、実用新案登録第３１０８７４１号公報（特許文献２）が開示するものが存在する。この丘カロート構造物Ａは、図５０に示すように、基板部材Ｂの上面の四隅に支柱部材Ｃを立設すると共に、隣り合う支柱部材Ｃ，Ｃ間に形成される開口部Ｄを覆うように側板部材Ｅを配設し、該四隅の支柱部材Ｃ，Ｃ，Ｃ，Ｃと、前後左右の側板部材Ｅ，Ｅ，Ｅ，Ｅの上に天板部材Ｆを載置した基本構成を有していた。
【０００５】
本発明者は、このような構成を有する丘カロート構造物Ａの耐震性を向上させるために、前記特許文献１が示する前記下部耐震装置ｓに着眼した。しかしながら、該下部耐震装置ｓは前記のように、丘カロート構造物の全体を連結一体化する前記下の連結ボルトｊが納骨室ｆの内部においてその四隅を通り、基板部材ｂと天板部材ｈとを連結する構成を有しており、該基板部材ｂと該天板部材ｈとの間に存する左右の側壁部材（支柱を兼ねる）ｃ，ｃを貫通する仕組みにはなっていなかった。そのため下の連結ボルトｊによる下台（丘カロート構造物）ｒの連結一体化が不安定化しやすく、従って墓石の耐震性能に改善の余地があった。
【０００６】
そこで本発明者は、前記特許文献２が開示するような丘カロート構造物Ａにおいて、前記基板部材Ｂと前記支柱部材Ｃと前記天板部材Ｆの夫々に上下貫通する連結孔を設け、上下方向に連通する連通連結孔に連結軸を挿通し、その上下端に設けられた雄ネジ部にナットを螺合し締め付けることにより丘カロート構造物の全体を連結一体化する手段を想到した。かかる構成を有する耐震性丘カロート構造物は、基板部材と支柱部材と天板部材の全体を連結軸で強固に連結一体化するために、丘カロート構造物の耐震性が特許文献１記載のものに比し優れているといえる。しかしながら、このようにして丘カロート構造物の全体を連結一体化せんとする場合は、該連結軸が、支柱部材と基板部材との間の隙間や支柱部材と天板部材との間の隙間から浸入した雨水に接触しやすく連結軸の腐食を招きやすい問題点のあることが判明した。
【０００７】
【特許文献１】特開平１０−３７５３２号公報
【特許文献２】実用新案登録第３１０８７４１号公報
【発明の開示】
【発明が解決しようとする課題】
【０００８】
本発明は、前記従来の問題点に鑑みて開発されたものであり、丘カロート構造物の全体を連結軸で連結一体化することを基本として、丘カロート構造物の外観を損なうことなく丘カロート構造物の耐震性向上を期し得ると共に、該連結軸が雨水に接触しても腐食されにくいようにして丘カロート構造物の耐震性能を長期間に亘って安定的に維持させ得る、墓石を構成する耐震性丘カロート構造物の提供を課題とするものである。
【課題を解決するための手段】
【０００９】
前記課題を解決するため本発明は以下の手段を採用する。
即ち本発明に係る墓石を構成する耐震性丘カロート構造物（以下耐震性丘カロート構造物という）は、上面に石材が積重されて墓石を構成するために用いられ、且つ、内部に納骨用空間部が設けられた耐震性丘カロート構造物であって、基板部材の上面の四隅に位置して立設される支柱部材と、隣り合う支柱部材間に形成される開口部を覆うように配設される前後左右の側板部材と、該四隅の支柱部材と該前後左右の側板部材の上に載置される天板部材を具えている。前記基板部材は、その上面の四隅に窪み部が設けられると共に、各窪み部は、該窪み部と左右隣り合う他の窪み部又は該窪み部と前後隣り合う他の窪み部と、上端開放の排水溝を介して連結されており、該窪み部内の水が該排水溝に流入して、該排水溝の溝底面の長さ方向の中間部分に上下貫設された排水孔より排出されるものとなされている。又、前記支柱部材は、その水平な下面に、前記窪み部に嵌め入れられる嵌入突部が突設され、該嵌入突部の外側に存する周縁部分は、該窪み部の上端周縁部分に当接し得るカバー縁面とされており、該当接状態において、該窪み部の上端縁が該カバー縁面で覆い隠されると共に、前記嵌入突部の突部下面と前記窪み部の窪み部底面との間に排水間隙が形成されるものとなされている。又、前記支柱部材の内側に位置して隣り合う二つの内側支柱側面に、上下端が開放し且つ該内側支柱側面で開放された縦嵌入溝が凹設されている。又、前記側板部材の側面には、左右隣り合う立設状態の支柱部材に設けられている対向する前記縦嵌入溝に嵌入し得る側面突状部が突設されており、該側面突状部が該縦嵌入溝に嵌め入れられた状態で、該側面の両側部分としてのカバー側面が、該縦嵌入溝の両側縁部分に当接でき、この状態で、該縦嵌入溝の溝縁が該カバー側面で覆い隠されると共に、該側面突状部の先端面と該縦嵌入溝の溝底面との間に縦の排水路が形成されるものとなされている。又、前記側板部材の下面には、前記排水溝に嵌入し得る下面突状部が設けられており、該下面突状部が前記排水溝に嵌め入れられた状態で、該下面の両側部分としてのカバー下面が、該排水溝の上端の両側部分に当接でき、この状態で、該排水溝の上端の溝縁が該カバー下面で覆い隠されると共に、該下面突状部の下面と該排水溝の溝底面との間に排水路が形成されるものとなされている。そして、前記縦の排水路と前記排水間隙と前記排水路とが連通されている。又、前記基板部材と前記支柱部材と前記天板部材は、夫々に設けられた、上下方向に貫通する連結孔が連通せしめられて形成された連通連結孔に連結軸が挿通され、該連結軸の上下端に設けられた各雄ネジ部に上下のナットが螺合されて締め付けられることより、全体が連結一体化されており、該連通連結孔に前記連結軸が挿通された状態で、該連結軸の周囲部分に、縦方向排水路が形成されており、該縦方向排水路を流下した水を、前記下のナットの締め付け部分に生ずる排出部を通して排出可能とされていることを特徴とするものである。
【００１０】
前記耐震性丘カロート構造物において、前記窪み部の窪み部底面に、前記排水間隙の水を、前記基板部材における前記縦方向排水路に向けて誘導する水誘導溝を放射状に設けるのがよい。
【００１１】
又、前記耐震性丘カロート構造物において、前記基板部材に設けられる連結孔を、前記排水溝を前記窪み部内で延長させたと仮定した場合の該排水溝の溝幅の範囲に全体が納まり或いはその一部が納まるように設けるのがよい。
【発明の効果】
【００１２】
本発明は以下の如き優れた効果を奏する。
本発明によるときは、丘カロート構造物の外観を損なうことなくその耐震性向上を期し得ると共に、丘カロート構造物の耐震性能を長期間に亘って安定的に維持させることができる。以下これを具体的に説明する。
【００１３】
(1) 本発明に係る耐震性丘カロート構造物は、基板部材と支柱部材と天板部材の夫々に設けられた上下方向に貫通する連結孔を連通せしめ、該連通連結孔に連結軸を挿通し該連結軸によって全体を連結一体化する構成を採用しているため、該連結軸が外から目視されない状態で丘カロート構造物の全体を該連結軸によって強固に連結一体化できる。
従って本発明によるときは、丘カロート構造物の外観を損なうことなく、地震時の振動によっても転倒するのを防止できる耐震性丘カロート構造物を簡易に構成できる。
【００１４】
(2) そして本発明に係る耐震性丘カロート構造物は、前記連通連結孔に前記連結軸が挿通された状態で該連結軸の周囲部分に縦方向排水路が形成されており、又、側板部材の側面突状部を支柱部材の縦嵌入溝に嵌入することによって形成される縦の排水路と、支柱部材の嵌入突部を基板部材の窪み部に嵌め入れることによって形成される排水間隙と、側板部材の下面突状部を排水溝に嵌め入れることによって形成される排水路とが連通される如くなされ、該排水路に排水孔が設けられている。
【００１５】
従って本発明によるときは、前記縦方向排水路に流入した雨水や、前記側板部材の嵌め入れ部分の隙間を通して前記縦の排水路に吹き込み該縦の排水路を流下して前記排水間隙に達した雨水、更には、前記基板部材と前記支柱部材との接合部分の隙間を通して該排水間隙に侵入した雨水は、前記基板部材の窪み部に設けられている基板の連結孔（連結軸の周囲部分に形成される縦方向排水路）を通して流下し排出されることになる。又、前記基板部材に形成される縦方向排水路に苔が生える等して水が排出されにくくなって前記排水間隙に水が溜まったり、或いは、該排水間隙に流入する水の量が多くてこれが該排水間隙に溜まった場合は、これらの水は前記排水路に流れ前記排水孔を通して排出されることになる。
【００１６】
これらによって本発明によるときは、連結軸が雨水に接触する時間を短縮できて雨水による連結軸の腐食劣化を抑制でき、従って、丘カロート構造物の前記耐震性能を長期間に亘って安定的に維持させ得ることとなる。
【００１７】
(3) 特に前記窪み部底面に水誘導溝を放射状に設ける場合は、前記排水間隙の水を、前記縦方向排水路に向けてより円滑に誘導でき、排水性向上を期し得る。又、特に、前記基板の連結孔を、前記排水溝を前記窪み部内で延長させたと仮定した場合の排水溝の溝幅の範囲に全体が納まり或いはその一部が納まるように設定するときは、前記支柱部材に設けられている縦の排水路を流下した水が、前記基板部材に設けられている縦方向排水路の上端で溢れた状態となった場合、この水を前記排水路に、より速やかに流すことができる。
【００１８】
これらにより、連結軸が雨水に接触する時間をより短縮でき、雨水による連結軸の腐食劣化をそれだけ抑制できることとなる。
【００１９】
(4) 本発明によるときは、前記支柱部材の下端部分に設けられているカバー縁面が、前記基板部材に設けられている窪み部の上端周縁部分に安定的に当接できると共に、前記側板部材の側面の両側部分としてのカバー側面が前記縦嵌入溝の両側縁部分に当接でき、しかも、該側板部材の下面の両側部分としてのカバー下面が前記排水溝の上端の両側部分に安定的に当接できる。
【００２０】
従って本発明によるときは、丘カロート構造物の構造的な安定性を確保し得ると共に、前記縦の排水路や前記排水間隙、前記排水路を確実に確保できて、排水の円滑化を達成できることになる。
【００２１】
(5) 本発明によるときは、前記支柱部材を前記基板部材に立設した状態で前記窪み部の上端縁が支柱部材の前記カバー縁面で覆い隠される。又、前記側板部材を前記基板部材に載置し且つ前記支柱部材に取り付けた状態において、前記縦嵌入溝の溝縁が前記カバー側面で覆い隠されると共に、前記排水溝の上端の縁が前記カバー下面で覆い隠されることとなる。
【００２２】
従って本発明によるときは、排水のために設けた前記窪み部や排水溝、縦嵌入溝が丘カロート構造物の外観を損なうこともない。
【実施例１】
【００２３】
以下、本発明の実施例を図面に基づいて説明する。
図１〜２において、本発明に係る耐震性丘カロート構造物１は、内部に納骨用空間部２が設けられており、その上に、中台３としての石材５が積重され、その上に上台６としての石材５が積重され、更にその上に、上下に長い竿石７としての石材５が積重されることによって耐震性の墓石９を構築するものである。該石材５としては御影石が好適である。  
【００２４】
該丘カロート構造物１は、図１〜４に示すように、全体が石製部材を組み合わせて構成されており、正方形板状を呈する基板部材１０と、該基板部材１０の基板上面１１の四隅に位置して立設される同高さの支柱部材１２，１２，１２，１２と、隣り合う支柱部材１２，１２間に形成される開口部１３の内、墓石の正面側に存する前の開口部１３ａを覆う門形の前の側板部材１５と、該前の側板部材１５の前面１６に重なる状態で設置される扉板部材１７と、墓石９の左右の側面側に存する左右の開口部１３ｂ，１３ｃを覆う左右の側板部材１９，２０と、墓石の背面側に存する後の開口部１３ｄを覆う後の側板部材２１と、前記四隅の支柱部材１２，１２，１２，１２と前記前後の側板部材１５，２１と前記左右の側板部材１９，２０の上に載置される平板状の天板部材２２と、該天板部材２２の上に載置される上板部材２３とから構成されている。
【００２５】
前記支柱部材１２は図４〜７に示すように、横断面が正方形状を呈しており上端から下端に向けて正方形の一辺が大きくなるように拡大しており、支柱上面２５と支柱下面２６が正方形状の水平面として形成されている。そして、内側に位置して隣り合う二つの内側支柱側面（隣り合う支柱部材１２，１２の向き合う側面）２７，２７は垂直面として形成されると共に、外側の２つの側面２９，２９は、その上下の端部分が上下の垂直面３０，３１、３０，３１として形成されており、該上下の垂直面３０，３１間の部分３２，３２は、上から下に向けて外側に拡大する湾曲面として形成されている。
【００２６】
そして、垂直面をなす前記内側支柱側面２７，２７の、例えば内側のコーナ３５寄り部分には、上下方向に延長し且つ上下端が開放すると共に内側支柱側面２７，２７で開放された、断面矩形状を呈する縦嵌入溝３３，３３が設けられている。又、前記水平な支柱下面２６には嵌入突部３６が突設されている。該嵌入突部３６は、その突部下面３７が水平面に形成されると共に、その外周縁３９は、該支柱下面２６の外周縁４０の稍内側に退いた状態で且つ該外周縁４０に沿う形態とされている。そして該支柱下面２６の、該嵌入突部３６の外側に存する周縁部分はカバー縁面４１とされている。又、正方形状を呈する前記支柱上面２５の中心には、上下端が開放した支柱の連結孔４２が上下方向に貫設されている。
【００２７】
かかる構成を有する支柱部材１２の主要部の寸法を例示すれば、前記支柱上面２５の正方形の一辺は１４ｃｍに設定されると共に、前記支柱下面２６の正方形の一辺は２０ｃｍに設定されている。又、前記縦嵌入溝３３，３３の溝幅は４０ｍｍに設定されると共に、前記嵌入突部３６の下方への突出量は１０ｍｍに設定されている。そして前記カバー縁面４１の幅は５ｍｍに設定されている。又、前記支柱部材１２の高さは４６ｃｍに設定され、前記支柱の連結孔４２の直径は２０ｍｍに設定されている。
【００２８】
前記基板部材１０は、平面視で正方形状又は長方形状を呈する板体として構成されている。本実施例においては、図４、図８〜９に示すように正方形板状を呈しており、その基板上面４３の四隅に位置させて前記支柱部材１２，１２，１２，１２が立設される。該支柱部材１３，１３，１３，１３は、図４に示すように、その内側に位置する前記二つの内側支柱側面２７，２７に設けられている前記縦嵌入溝３３，３３が対向状態となるように立設される。そのために該基板上面４３の四隅には、前記嵌入突部３６，３６，３６，３６を嵌め入れるための、平面視で正方形状を呈する窪み部４５，４５，４５，４５が凹設されている。
【００２９】
該窪み部４５の大きさは、図７に示すように、該窪み部４５に前記嵌入突部３６を嵌め入れたときに前記カバー縁面４１が該窪み部４５の上端周縁部分４６に当接状態となり、これにより該窪み部４５の上端縁４７が該カバー縁面４１で覆い隠されるようになされている。そして該カバー縁面４１が該上端周縁部分４６に当接した状態で、前記嵌入突部３６の突部下面３７と該窪み部４５の窪み部底面５０との間に排水間隙５１が形成されるようになされている。
【００３０】
そして前記基板上面４３には、図８（Ａ）、図９（Ａ）に示すように、前後隣り合う窪み部４５ａ，４５ｂ，４５ｃ，４５ｄを夫々連結するように左右の排水溝（上端開放）５２，５２が設けられると共に、後に位置する左右隣り合う窪み部４５ｂ，４５ｄを連結するように後の排水溝（上端開放）５２が設けられており、各排水溝５２の長さ方向の中間部位（本実施例においては中央部位）において、溝底面５５に排水孔５６が、前記基板部材１０を上下方向に貫通するように設けられている。なお本実施例においては、納骨に際して前記扉板部材１７を取り外した際に、前に位置する左右隣り合う窪み部４５ａ，４５ｃの間が目視可能となるために、丘カロート構造物の美観を考慮して、該窪み部４５ａ，４５ｃの間には排水溝を設けていない。
【００３１】
各排水溝５２は、図１０〜１１に示すように、前記窪み部４５に前記嵌入突部３６を嵌め入れて立設状態とされた隣り合う支柱部材１２，１２の前記対向する縦嵌入溝３３，３３の下端部分５７，５７を繋ぐように設けられており、該排水溝５２の溝底面５５は前記窪み部４５の窪み部底面５０と面一に形成されている。該溝底面５５は水平に形成されてもよいのであるが、本実施例においては図１０に示すように、該排水孔５６の両側の溝底面部分５５ａ，５５ａは、該排水孔５６に向けて下方に傾斜する水勾配が設けられている。これにより、前に位置する左右隣り合う窪み部４５ａ，４５ｃの間に排水溝を設けていなくても、各窪み部４５ａ，４５ｂ，４５ｃ，４５ｄに形成される全ての排水間隙５１，５１，５１，５１の水を、何れかの排水溝５２に流して（より具体的には後述の排水路１０８に流して）、前記排水孔５６で排出させ得る。
【００３２】
そして前記窪み部底面５０には、図８〜９、図１１に示すように、前記支柱部材１２に貫設されている前記支柱の連結孔４２と連通状態で、基板の連結孔５９が前記基板部材１０を上下方向に貫通するように設けられている。該基板の連結孔５９の下側部分は、後述のナット１２５を納めるための拡大孔５８とされている。そして、前記窪み部底面５０における該基板の連結孔５９の配設状態は、本実施例においては図９（Ｂ）（Ｃ）に示すように、前記排水溝５２を前記窪み部４５内で延長させたと仮定した場合（延長部分を一点鎖線又は二点鎖線で示している）の排水溝の溝幅の範囲に全体が納まり或いはその一部が納まるように設定されている。又本実施例においては、前記排水間隙５１内の水を該基板の連結孔５９に向けて円滑に誘導できるようにするために、図８（Ａ）、図９に示すように、窪み部底面５０の各コーナ６０，６０，６０，６０と該基板の連結孔５９とを結ぶように水誘導溝６１が設けられている。
【００３３】
又本実施例においては、該基板部材１０の中央部分に、例えば正方形状を呈して上端が開口した納骨用空間部６２が凹設されると共に、該納骨用空間部６２の底部の中央部分に、例えば円形状を呈する納骨開口部６３が設けられている。
【００３４】
かかる構成を有する基板部材１０の各部の寸法を例示すれば、その正方形の一辺の長さは１６５ｃｍに設定されると共に、前記窪み部４５の深さは３０ｍｍに設定され、前記排水溝５２の溝幅は、前記縦嵌入溝３３の溝幅に等しい４０ｍｍに設定されている。又、前記基板の連結孔５９の孔径は、前記支柱の連結孔４２の直径に等しい２０ｍｍに設定されると共に、前記水誘導溝６１の溝幅は５ｍｍに設定され、その溝深さは５ｍｍに設定されている。
【００３５】
又、前記天板部材２２は図１２に示すように、正方形板状を呈しており、その中央部分に、下の通気孔（本実施例においては円形状通気孔）６５が設けられている。そして該天板部材２２の四隅には、立設状態にある前記支柱部材１２，１２，１２，１２に設けられている前記支柱の連結孔４２，４２，４２，４２と連通状態に外側の天板の連結孔６６，６６，６６，６６が設けられており、該外側の天板の連結孔６６の上側部分は、後述のナット１２７を納めるための拡大孔６７とされている。又、前記下の通気孔６５の周縁部分の四隅には内側の天板の連結孔６９，６９，６９，６９が設けられており、該内側の天板の連結孔６９の下側部分は、後述のナット１８０を納めるための拡大孔７０とされている。各部の寸法を例示すれば、天板部材２２の正方形の一辺の長さは８９ｃｍに設定されると共に、その厚さは７ｃｍに設定されている。又、前記下の通気孔６５の直径は６ｃｍに設定されると共に、前記外側の天板の連結孔６６の孔径は、前記支柱の連結孔４２の直径に等しい２０ｍｍに設定されている。そして、前記拡大孔６７，７０の孔径は４０ｍｍに設定される。
【００３６】
又、前記上板部材２３は図１３に示すように、前記天板部材２２上に載置されるもので、上面７１が水平である正方形板状を呈しており、その外周縁部分７２は前記天板部材２２の外周縁７３（図２）から外方に稍突出状態となる。そして該載置された状態で、前記下の通気孔６５と連通し得る上の通気孔（直径は６ｃｍ）７５が設けられている。本実施例においては、該上の通気孔７５の上端７６には、図１４に示すように、多数の通気用の孔７７が設けられた例えば円板状を呈する通気蓋７８が被せられ、バネ性固定片７９の付勢作用によって該上の通気孔７５の上端部分に固定される。該通気蓋７８は、前記中台３に設けられる後述の通気空間１４６を、墓参り用の掃除道具入れとして利用する際において、該上の通気孔７５に物が落ちるのを防止する。
【００３７】
又、該上の通気孔７５の周縁部分の四隅には、前記内側の天板の連結孔６９，６９，６９，６９の夫々に上下連通し得る上板の連結孔８０，８０，８０，８０が設けられている。なお本実施例においては、各上板の連結孔８０と前記上の通気孔７５とを連結するように、排水用案内溝８１が設けられている。又、前記外周縁部分７２の下面８２の幅方向の中央部分には、図１３（Ｂ）（Ｃ）に示すように、周方向に連続する状態で水切り溝８３が設けられている。該水切り溝８３は、構築された墓石９の表面を伝って流下して該上板部材２３の下面８２に回った水が、支柱部材１２や側板部材１５，１９，２０，２１側に移動しないように水切りするものである。
【００３８】
かかる構成を有する上板部材２３の各部の寸法を例示すれば、その正方形の一辺の長さは１１０ｃｍに設定されると共に、その厚さは７ｃｍに設定されている。又前記天板の連結孔６９の直径は、前記支柱連結孔４２の直径に等しい２０ｍｍに設定されている。又、前記排水用案内溝８１の溝幅は１０ｍｍに、その溝深さは、外端で１０ｍｍで内端で２０ｍｍに設定されている。又前記水切り溝８３は、上板部材２３の縁８５から内側に５ｃｍ退いて設けられており、その溝幅は１０ｍｍに、その溝深さ２０ｍｍに設定されている。  
【００３９】
又、前記上板部材２３の水平な上面７１の、墓石の正面側部分をなす前側の設置面８６には、図１に示すように、その中央部分に水鉢８７が載置されると共に、その両側に花立て８９，８９が載置される。そして、その後に位置する中央の設置面９０には、前記中台３が設置される。
【００４０】
前記前の側板部材１５は、図１５に示すように、下端が開放した矩形状の納骨用開口９１が中央部分に設けられた横長の矩形板状の門形を呈しており、その左右の側面９２，９２の幅方向中心線に沿って、左右隣り合う支柱部材１２，１２に設けられている左右対向する前記縦嵌入溝３３，３３に嵌入し得る側面突状部９３，９３が突設されている。そして図１６（Ａ）（Ｂ）に示すように、該側面突状部９３が該縦嵌入溝３３に嵌め入れられた状態で、該側面９２の両側部分としてのカバー側面９５，９５が、前記内側支柱側面２７の、該縦嵌入溝３３の両側縁部分９６，９６に当接し得る。この状態で、該カバー側面９５，９５が該縦嵌入溝３３の溝縁９７，９７を覆い隠す。そしてこの状態で、該側面突状部９３の先端面９９と該縦嵌入溝３３の溝底面１００との間に縦の排水路１０１が形成される。
【００４１】
又、前記左右の側板部材１９，２０と前記後の側板部材２１は、共に同一の構成を有しており、図１７（Ａ）（Ｂ）に示すように、横長の矩形板状を呈する。そして、その側面９２，９２の幅方向中央線に沿って、前後隣り合う、又は左右隣り合う立設状態の支柱部材１２，１２に設けられている対向する縦嵌入溝３３，３３に嵌入し得る側面突状部９３，９３が突設されている。図１６（Ａ）（Ｃ）（Ｄ）に示すように、該側面突状部９３が該縦嵌入溝３３に嵌め入れられた状態で、該側面９２の両側部分としてのカバー側面９５，９５が、前記内側支柱側面２７の、該縦嵌入溝３３の両側縁部分９６，９６に当接し得る。この状態で、該カバー側面９５，９５が該縦嵌入溝３３の溝縁９７，９７を覆い隠す。そしてこの状態で、該側面突状部９３の先端面９９と該縦嵌入溝３３の溝底面１００との間に縦の排水路１０１が形成される。
【００４２】
又その下面１０２には、前記排水溝５２に嵌入し得る下面突状部１０３が設けられており、該下面突状部１０３が該排水溝５２に嵌め入れられた状態において、図１７（Ｃ）に示すように、該下面１０２の両側部分をなすカバー下面１０５，１０５が、該排水溝５２の上端の両側部分１０６，１０６に当接し得る。この状態で、カバー下面１０５，１０５が該排水溝５２の上端の溝縁１０７，１０７を覆い隠す。そしてこの状態で、該下面突状部１０３の下面１０９と前記排水溝５２の溝底面５５との間に排水路１０８が形成される。なお該下面突状部１０３は、前記排水溝５２に嵌め入れられる部分にだけ設けられており、従って下面突状部１０３の外端面１１０は、図１７（Ｂ）に示すように、前記側面９２の縁９２ａから内方に稍退いている。
【００４３】
又前記扉板部材１７は、図１〜４に示すように、前記納骨用開口９１に嵌まり合う嵌め入れ突部１１１を具えて該納骨用開口９１を外側から覆うように、墓石の正面側に存する左右の支柱部材１２，１２間で前記基板上面４３に載置される。
【００４４】
かかる構成を有する基板部材１０と支柱部材１２，１２，１２，１２と、前後の側板部材１５，２１と左右の側板部材１９，２０と、天板部材２２と、上板部材２３とを用いて前記丘カロート構造物１を組み立てるに際しては、図１８に示すように、４本の支柱部材１２，１２，１２，１２の前記嵌入突部３６，３６，３６，３６を、夫々対応する前記窪み部４５，４５，４５，４５に嵌め入れる。この状態で、図７に示すように、前記カバー縁面４１が該窪み部４５の上端周縁部分４６に当接状態となり、これにより、該支柱部材１２が前記基板部材１０の基板上面４３に安定的に立設された状態となる。そして、該窪み部４５の上端縁４７が該カバー縁面４１で覆い隠される。又、該カバー縁面４１が該上端周縁部分４６に当接した状態で、前記嵌入突部３６の突部下面３７と該窪み部４５の窪み部底面５０との間に排水間隙５１が形成される。なおこの状態で、前記支柱の連結孔４２と前記基板の連結孔５９とは略連通状態となり得るが、その後、両者を正確に位置決めする。
【００４５】
その後、図１９に示すように、前記前後の側板部材１５，２１と左右の側板部材１９，２０の、前記側面突状部９３，９３の下端部分を、対向する縦嵌入溝３３，３３の上端部分に挿入して後、該側板部材を隣り合う支柱部材１２，１２間に落とし込むと、図１７（Ｃ）に示すように、前記下面突状部１０３が前記排水溝５２内に嵌め入れられた状態となり、前記カバー下面１０５，１０５が前記排水溝５２の上端の両側縁部分１０６，１０６に当接状態となる。これにより、該側板部材１５，２１，１９，２０は、前記基板部材１０の基板上面４３に安定的に立設された状態となる。そしてこの状態で、図１７（Ｃ）に示すように、前記カバー下面１０５，１０５が該排水溝５２の上端の溝縁１０７，１０７を覆い隠し、該下面突状部１０３の下面１０９と前記排水溝５２の溝底面５５との間に排水路１０８が形成される。
【００４６】
又、前記側面突状部９３が前記縦嵌入溝３３に嵌め入れられた状態で、図１６に示すように、前記側面９２の両側部分としてのカバー側面９５，９５が、前記内側支柱側面２７の、該縦嵌入溝３３の両側縁部分９６，９６に当接し、該支柱部材１２に対する側板部材１５，２１，１９，２０の安定取り付け状態が得られる。この状態で、カバー側面９５，９５が縦嵌入溝３３の溝縁９７，９７を覆い隠す（図１６（Ａ）（Ｂ）（Ｃ）（Ｄ））。そしてこの状態で、該側面突状部９３の先端面９９と該縦嵌入溝３３の溝底面１００との間に前記縦の排水路１０１が形成される。そして図１０に示すように、該排水間隙５１は前記排水路１０８に連通状態となり、前記溝底面５５と前記窪み部底面５０は一連状態となる。これにより、該縦の排水路１０１と該排水間隙５１と該排水路１０８とが一連に連なった連通排水路１１７が形成されることとなる。
【００４７】
その後、図２０に示すように、前記天板部材２２を、その四隅に設けられている前記天板の連結孔６６，６６，６６，６６の夫々を対応の前記支柱の連結孔４２に正確に上下連通状態として該天板部材２２を、支柱部材１２，１２，１２，１２の支柱上面２５，２５，２５，２５（図１８）と前後左右の側板部材１５，２１，１９，２０の上面１１９，１１９，１１９，１１９（図１８）に載置する。
【００４８】
その後、全体を下の連結軸１２０で連結一体化する。該下の連結軸１２０は、上下に長い例えばステンレス製のものであり、図２０（Ａ）に示すように上下端に雄ネジ部１２１、１２２が設けられている。該下の連結軸１２０の直径は１６ｍｍに設定されており、前記基板の連結孔５９と前記支柱の連結孔４２と前記外側の天板の連結孔６９とが上下連通状態に連なった下の連通連結孔１２４の４つに夫々挿通せしめられる。然る後、前記基板の連結孔５９の前記拡大孔５８内において、各下の連結軸１２０の下の雄ネジ部１２２に座金１２３を介して下のナット１２５を螺合して後、前記天板の連結孔６６の前記拡大孔６７において、上の雌ネジ部１２１に座金を介して上のナット１２７を螺合し締め付ける。その後、前記内側の天板の連結孔６９と前記上板の連結孔８０とを位置合わせして、前記天板部材２２上に前記上板部材２３を積重する。これによって、前記上の雌ネジ部１２１と上のナット１２７が該上板部材２３で覆い隠された状態となり、図２１に示すような、前記納骨用空間部２を内部に有する前記丘カロート構造物１が構築されることとなる。
【００４９】
このように構成された丘カロート構造物１にあっては、前記支柱部材２の下端部分に設けられているカバー縁面４１が、前記基板部材１０に設けられている窪み部４５の上端周縁部分４６に安定的に当接できると共に、前記側板部材１５，２１，１９，２０の側面９２の両側部分としてのカバー側面９５，９５が前記縦嵌入溝３３の両側縁部分９６，９６に当接でき、しかも、該側板部材１５，２１，１９，２０の下面１０２の両側部分としてのカバー下面１０５，１０５が前記排水溝５２の上端の両側部分１０６，１０６に安定的に当接できるため、これらによって、丘カロート構造物１の構造的な安定性を確保し得ると共に、前記縦の排水路１０１や前記排水間隙５１、前記排水路１０８を確実に確保できて、排水の円滑化を達成できることになる。
【００５０】
又、支柱部材２を基板部材１０に立設した状態で前記窪み部４５の上端縁４７が該支柱部材１２のカバー縁面４１で覆い隠され、前記縦嵌入溝３３の溝縁９７が前記カバー側面９５で覆い隠されると共に、前記排水溝５２の上端の溝縁１０７が前記カバー下面１０５で覆い隠される。
【００５１】
従って本発明によるときは、排水のために設けた前記窪み部４５や縦嵌入溝３３、排水溝５２が丘カロート構造物１の外観を損なうこともない。
【００５２】
又、このように構成された丘カロート構造物１にあっては、前記のように、下の連結軸１２０の直径が１６ｍｍに設定されると共に前記下の連通連結孔１２４の孔径が２０ｍｍに設定されているため、図２０（Ｂ）に示すように、該下の連結軸１２０の周囲部分に、下の縦方向排水路１２９が形成される。そして、該下の連結軸１２０の下の雄ネジ部１２２には前記のように、座金１２３を介して下のナット１２５が螺合され該下のナット１２５が締め付けられた状態となっている。かかることから、該下の縦方向排水路１２９を流下した水は該下のナット１２５の締め付け部分に生ずる基板の排出部（隙間）１３０を通して徐々に排出される。
【００５３】
なお図２２（Ａ）（Ｂ）に示すように、前記拡大孔５８の頂面（上面）１３１に、前記下の連通連結孔１２４の孔下端１３２に連通する頂面排出溝１３３を設け、該頂面排出溝１３３が、該頂面１３１に対しての当接固定部分（座金１２３やナット１２５）１４８の外方に延長状態とすることにより、該下の縦方向排水路１２９を流下した水を該頂面排出溝１３３の先端部分１３５としての排出部１３０から円滑に排出させ得ることとなる。図２３（Ａ）は、前記頂面排出溝１３３を設ける代わりに、図２３（Ｂ）に示す、排出溝１１４が設けられた排出用座金１１８を用い、該排出用座金１１８を、その排出溝１１４を上向きにして前記頂面１３１に当接させて後、前記座金１２３を介して前記下のナット１２５を下の雄ネジ部１２２に螺合し締め付けた状態を示すものである。この場合は、前記下の縦方向排水路１２９を流下した水を該排出溝１１４の先端１１４ａとしての排出部１３０から円滑に排出させ得ることとなる。
【００５４】
なお本実施例においては、図２０に示すように、Ｌ字状に屈曲したアンカーボルト１３７を介して前記基板部材１０を現場打ちコンクリート１３９の打設（前記納骨開口部６３を塞がないように打設する）によって地面に固定することとしているため、前記下のナット１２５を長ナット１２５ａとしている。図２０においては、該長ナット１２５ａの下半分１４０が前記基板部材１０の下面１４１で下方に突出状態とし、該下半分１４０に前記アンカーボルト１３７の垂直軸部１４２の上端ネジ部１４３を螺合し締め付けて、該アンカーボルト１３７を該基板部材１０の下面１４１で突出状態としている。
【００５５】
次に、かかる構成の丘カロート構造物１と共に用いられて図１〜２に示す墓石９を構成する前記中台３と、前記上台６と、前記竿石７等の説明を行ない、これらを１本の連結棒１４４で連結一体化してなる耐震性の墓石９の全体構成を説明する。
【００５６】
前記中台３は、図２４に示すように、前記後側の設置面９０に設置されるもので、平面視で正方形状を呈する角柱状に構成されており、その内部に通気空間１４６を有している。該通気空間１４６は、該中台３の前面１４７の中央部で例えば矩形状に開口されることによって形成された前面開口部１４９で前方に開放されると共に、該中台３の下面１５０の中央部前側部分で矩形状に開口されることによって形成された下面開口部１５１で開放されている。該中台３の正方形の一辺は例えば６０ｃｍに設定されると共にその高さは例えば３２ｃｍに設定されている。そして該前面開口部１４９と該下面開口部１５１の境界部分には、該境界部分の左右端を連結するように、例えば一辺が３０ｍｍの正方形断面を呈して左右方向に延長する棒状遮水壁１５２が設けられており、該棒状遮水壁１５２の前面１５３と下面１５４は、夫々、中台３の前面１４７、下面１５０と面一である。
【００５７】
又該中台３の上面１５５の四隅には、前記通気空間１４６の外側に位置させて、前記上板の連結孔８０，８０，８０，８０に夫々連通するように中台の連結孔１５６，１５６，１５６，１５６が垂直状態に貫設されている。該中台の連結孔１５６の孔径は２０ｍｍに設定されると共に、その上端部分は孔径が４０ｍｍに拡大されて、ナット１５７を納めるための拡大孔１５８とされている。
【００５８】
又、該中台３の上面１５５の中央部分は、正方形状を呈する水平な設置面１５９として形成されており、周辺よりも稍高く形成されている。該水平な載置面（中台３の上面１５５）１５９の中央部位には、図２５（Ａ）に示すように、前記通気空間１４６の上側の頂部分１６０を垂直状態に貫通するように中台の連結排水孔１６１が設けられている。該中台の連結排水孔１６１の孔径は例えば２０ｍｍに設定されている。なお本実施例においては、該中台３の連結排水孔１６１の上端周辺は、後述の縦排水路２３９への水の流入を円滑化すると共に、孔上端１６２への前記連結棒１４４の挿入を容易化するために面取りされて円錐状凹面１６３が形成されている。そして該中台３の前記頂部分１６０の下面１５０には、図２５に示すように、該中台の連結排水孔１６１の孔下端１６５に連通する状態で、例えば十字状形態で排出溝１６７ａが設けられている。
【００５９】
そして図２４（Ａ）、図２５に示すように、該中台３の上面１５５の、前記中台の連結排水孔１６１の孔上端１６２の対向側で、該孔上端１６２に連通する集排水溝１６９が設けられている。該集排水溝１６９は本実施例においては、該孔上端１６２に連通する状態で放射状に４本設けられており、前記水平な設置面１５９のコーナ１７０と該孔上端１６２の中心とを結ぶ直線に沿って設けられている。該集排水溝１６９の外端は、該中台３の外面を破らないように設けられている。もしも破ると、墓石の外観を損なうばかりでなく、そこから集排水溝１６９内に雨水が侵入するからである。本実施例においては、該集排水溝１６９の外端１７１を前記コーナ１７０から稍内側に例えば３０ｍｍ程度退いた状態で設けている。該集排水溝１６９の溝幅は１０ｍｍ程度で、その溝深さは、図２５に示すように、外端１７１から内端１７２に向けて水勾配を有する如く形成されており、外端１７１で例えば１０ｍｍ深さで、内端１７２で例えば２０ｍｍ深さに設定されている。
【００６０】
かかる構成を有する中台３は、図２６に示すように、前記上板部材２３の上面７１の中央の設置面１４５に該中台３の下面１５０を当接させて載置されるもので、これにより、前記丘カロート構造物１上に該中台３が設置された状態となる。
【００６１】
これを具体的に説明すれば、該中台３を、図２６に示すように、前記中台の連結排水孔１６１，１６１，１６１，１６１の夫々を前記上板の連結孔８０，８０，８０，８０の対応のものに位置合わせし、前記上板部材２３の中央の設置面９０に該中台３の下面１５０を当接させて載置する。この状態で図２６に示すように、例えばステンレス製のもので上下端に雄ネジ部１７３，１７５が設けられてなる上の連結軸１７６，１７６，１７６，１７６の夫々を、前記中台の連結孔１６１と前記上板の連結孔１５６と前記天板の連結孔６６が連通した上の連通連結孔１７７に挿通し、前記拡大孔７０内で、該上の連結軸１７６の下の雄ネジ部１７５に座金１７９を介して下のナット１８０を螺合すると共に、前記拡大孔１５８内で、上の雄ネジ部１７３に座金１８０を介してナット１５７を螺合し締め付ける。この状態で、上の連結軸１７６の上の雄ネジ部１７３と上のナット１５７が前記拡大孔１５８に納まり、上方に突出しない。これにより、中台３が丘カロート構造物１に固定状態に設置されることとなる。
【００６２】
そしてこのように連結された状態で、前記のように、上の連結軸１７６の直径が１６ｍｍに設定されると共に前記上の連通連結孔１７７の孔径が２０ｍｍに設定されているため、該上の連結軸１７６の周囲部分に、上の縦方向排水路１８１が形成される。そして、前記拡大孔７０に納まる、該上の連結軸１７６の下の雄ネジ部１７５には、前記のように、座金１７９を介して下のナット１８０が螺合され該下のナット１８０が締め付けられた状態となされるが、該上の縦方向排水路１８１を流下した水は該下のナット１８０の締め付け部分に生ずる排出部（隙間）１８４を通して徐々に排出される。
【００６３】
なお図２７に示すように、前記拡大孔７０の頂面（上面）１８２に、前記上の連通連結孔１７７の孔下端１８３に連通する頂面排出溝１８５を設け、該頂面排出溝１８５が、該頂面１８２に対しての当接固定部分（座金１７９やナット１８０）１９８の外方に延長状態とすることにより、前記上の縦方向排水路１８１を流下した水を、前記納骨用空間部２内で、該頂面排出溝１８５の先端部分としての排出部１８４から円滑に排出させ得ることとなる。又図２８に示すように、図２３で示した、排出溝１１４が設けられた排出用座金１１８を用いて、上の縦方向排水路１８１を流下した水を該排出溝１１４の先端１１４ａとしての排出部１８４から円滑に排出させることもできる。
【００６４】
そして、該中台３がこのように設置された状態で、図１〜２に示すように、前記前側の載置面８６の中央に前記水鉢８７が載置されると共にその両側に花立て８９，８９が載置される。該水鉢８７を取り除くことによって前記前面開口部１４９を開口させることができ、これにより、該前面開口部１４９を通して、前記通気空間１４６に対し墓参り用の掃除道具を出し入れできる。
【００６５】
該水鉢８７は図２９に示すように、その内部に通気空間１８７を有している。該通気空間１８７は、該水鉢８７の上面１８９の中央部で開口されることによって形成された、例えば円形の取り付け孔１９０で上方に開放されると共に、該水鉢８７の後面１９１で開口されることによって形成された後面開口部１９２で開放されている。そして該後面開口部１９２は前記通気空間１４６の前記前面開口部１４９に連なるようになされている。そして該取り付け孔１９０には図３０に示すように、線香立て兼用通気具１９３が着脱可能に取り付けられる。
【００６６】
該線香立て兼用通気具１９３は図２９〜３０に示すように、内部に、下端が開放した通気空間１８８を有しており、通気筒部１９４の上端に、上端が開放した細い筒状を呈する筒状線香立て１９５が設けられ、該通気筒部１９４の下端には固定筒部１９６が設けられている。該固定筒部１９６は上下端が開放した筒状を呈しており、その上端に、前記取り付け孔１９０の上端周縁部分に載置される環状鍔部１９７が屈曲形成されている。そして該固定筒部１９６の外側面に取り付けられたバネ部材１９９の付勢作用によって、該固定筒部１９６は該取り付け孔１９０に挿入された状態で前記水鉢８７に、着脱可能の固定状態とされる。該通気筒部１９４は、図３０に示すように、周方向に多数の通気開口２００が設けられており、該通気開口２００は、前記通気空間１８８に連通している。該通気開口２００は、本実施例においては筒状防虫金網２０１を以って形成されており、該筒状防虫金網２０１は、前記通気開口２００を通して内部に蜂等が進入して巣を作るのを防止する。そして前記通気筒部１９４の上端には、前記通気開口２００内に雨水が進入するのを極力防止する目的で傘状鍔部２０２が周設されている。
【００６７】
図２、図３０は、線香立て兼用通気具１９３が水鉢８７の上端に固定された状態を示すものであり、前記丘カロート構造物１の納骨用空間部２が、前記天板部材２２に設けられている下の通気孔６５と、前記上板部材２３に設けられている上の通気孔７５と、前記中台３の通気空間１４６と、前記水鉢の通気空間１８７と、前記線香立て兼用通気具１９３の内部に設けられている通気空間１８８からなる通気路２０３に連通され、前記通気開口２００を介して外気に連通状態とされ、これにより、該納骨用空間部２の換気が可能となされている。なお該水鉢８７の上面の両側には蝋燭立て２０５，２０５が設けられている。
【００６８】
前記上台６は、図３１〜３２に示すように、平面視で正方形状を呈する角柱状に形成されており、その上面２０６の中央部分は、正方形状を呈する水平な設置面２０７として形成され、周辺よりも稍高く形成されている。そして該上台６は、図３４に示すように、前記中台３の水平な載置面（中台の上面）１５９に下面２０９を当接させて該中台３に積重される。本実施例においては、その正方形の一辺が例えば４４ｃｍに設定されると共にその高さが３０ｃｍに設定されている。
【００６９】
そして該上台６の前記水平な載置面（上台の上面）２０７の中央部位には、前記中台の連結排水孔１６１と連通し得る、直径が２０ｍｍの、上台の連結排水孔２１１が垂直状態に貫設されている。該上台の連結排水口２１１の上端周辺は、後述の縦排水路２３９への水の流入を円滑化すると共に、孔上端２１２への前記連結棒１４４の挿入を容易化するために面取りされて円錐状凹面２１３が形成されている。
【００７０】
そして図３１（Ａ）に示すように、該上台の連結排水孔２１１の孔上端２１２の対向側で、該孔上端２１２に連通する集排水溝１６９が設けられている。該集排水溝１６９は本実施例においては、該孔上端２１２に連通する状態で放射状に４本設けられており、前記水平な設置面２０７のコーナ２１３と該孔上端２１２の中心とを結ぶ直線に沿って設けられている。該集排水溝１６９の外端１７１は、該上台６の外面を破らないように設けられている。もしも破ると、墓石の外観を損なうばかりでなく、そこから集排水溝１６９内に雨水が侵入するからである。本実施例においては、該集排水溝１６９の外端１７１を前記コーナ２１３から稍内側に例えば３０ｍｍ程度退いた状態で設けている。該集排水溝１６９の溝幅は１０ｍｍ程度で、その溝深さは、外端１７１から内端１７２に向けて水勾配を有する如く形成されており、外端１７１で例えば１０ｍｍで、内端１７２で例えば２０ｍｍ深さに設定されている。
【００７１】
又該上台６の水平な下面２０９には図３１（Ｂ）、図３２に示すように、前記中台３の上面１５５に設けられている前記集排水溝１６９，１６９，１６９，１６９と対応させて、凍結逃がし溝２１６，２１６，２１６，２１６が上下向き合う状態（図３２（Ｃ））で、前記上台の連結排水孔２１１の孔下端２１７に連通状態となるように放射状に設けられている。本実施例においては上台６が平面視で正方形状を呈するため、該凍結逃がし溝２１６は、前記正方形状の下面２０９のコーナ２１９と前記孔下端２１７の中心とを結んだ直線に沿って設けられており、その溝深さは例えば１０ｍｍに設定されている。そして、該凍結逃がし溝２１６の外端２２０は、該コーナ２１９から稍内側に例えば３０ｍｍ程度退いた状態で設けられている。
【００７２】
そして、該上台６が、前記中台３の水平な載置面（中台の上面）１５９に下面２０９を当接させて該中台３に積重された状態で、前記中台３の上面１５５に設けられている前記集排水溝１６９の外端１７１は、図３４に示すように、該上台６の下面２０９の外縁２２２の内側に退いている。
【００７３】
又前記竿石７は、図３３に示すように、平面視で正方形状を呈して上下に長い角柱状に形成されており、図３４に示すように、水平な下面２２３が前記上台６の水平な設置面（上台の上面）２０７に当接した状態で該上台６に積重される。そして該下面２２３の中央部位には、図３３（Ｂ）（Ｃ）に示すように雌ネジ部（例えば、上端部分が打ち込みによって拡開する打ち込み式のインサート）２２５が埋設されている。
【００７４】
そして、該竿石７の下面２２３には、前記上台６の上面２０６に設けられている前記集排水溝１６９，１６９，１６９，１６９と対応させて、凍結逃がし溝２１６，２１６，２１６，２１６が、図３３（Ｄ）に示すように上下向き合う状態で放射状に設けられている。本実施例においては上台６が平面視で正方形状を呈するため、該凍結逃がし溝２１６は、前記正方形状の下面２２３のコーナ２２６と前記雌ネジ部２２５の中心とを結んだ直線に沿って設けられており、その溝深さは例えば１０ｍｍに設定されている。そして、該凍結逃がし溝２１６の外端２２７は該コーナ２２６から稍内側に例えば３０ｍｍ程度退いた状態で設けられており、その内端２２９は前記雌ネジ部２２５から外方に稍退いている。
【００７５】
そして、該竿石７が、前記上台６の水平な載置面（上台の上面）２０７に下面２２３を当接させて該上台６に積重された状態で、該上台６の上面２０６に設けられている前記集排水溝１６９の外端１７１は、図３４に示すように、該竿石７の下面２２３の外縁２３０の内側に退いている。
【００７６】
次に、かかる構成を有する竿石７と上台６と前記中台３の全体を前記連結棒１４４で連結一体化する施工要領を説明する。
先ず、図３４〜３５に示すように、前記上台の連結排水孔２１１を前記中台の連結排水孔１６１に位置合わせし、且つ該上台６を、その前面を墓石正面にして、前記中台３の水平な設置面（中台の上面）１５９に、該上台の下面２０９を当接させて載置する。これにより、前記上台６の下面２０９に設けられている前記凍結逃がし溝２１６，２１６，２１６，２１６が、前記中台３の上面１５５に設けられている前記集排水溝１６９，１６９，１６９，１６９の夫々に対応して、上下向き合う状態となる。この状態で図３４〜３５に示すように、例えばステンレス製のもので上下端に雄ネジ部２３１，２３２が設けられてなる前記連結棒１４４を、前記上台の連結排水孔２１１と前記中台の連結排水孔１６１が連通した連通孔２３３に挿通し、前記竿石７が吊下状態で、該連結棒１４４を持ち上げてその上端の雄ネジ部２３１を前記雌ネジ部２２５に螺合せしめる。
【００７７】
その後、図３４〜３５に示すように、該竿石７の前面を墓石正面にして、前記上台６の水平な設置面（上台の上面）２０７に該竿石７の下面２２３を当接させて、該竿石７を該上台６上に載置する。これにより、前記竿石７の下面２２３に設けられている前記凍結逃がし溝２１６，２１６，２１６，２１６が、前記上台６の上面２０６に設けられている前記集排水溝１６９，１６９，１６９，１６９の夫々に対応して、上下向き合う状態となる。
【００７８】
その後、図３４〜３５、図３６〜３７に示すように、前記中台の連結排水孔１６１の孔下端２３５（図３５）で下方に突出した下端の雄ネジ部２３２に座金２３６を介して下のナット２３７を螺合し締め付ける。これにより、積重状態にある上台６と竿石７と中台３の全体が１本の連結棒１４４で連結一体化されることとなる。そしてこの状態で、該連結棒１４４の周囲部分に、下方向に水を排水する縦排水路２３９が形成される。そして、前記排出溝１６７ａが、前記中台の下面１５０に対しての当接固定部分（座金２３６やナット２３７）２３８の外方に延長しており、該排出溝１６７ａの先側部分としての排水部１６７が、前記縦排水路２３９に連通している。これにより、該縦排水路２３９を流下した水を該排水部１６７から円滑に排出させ得ることとなる。
【００７９】
なお、上下の石材５，５間の間隙２４０に雨水が侵入するのを抑制するために上下の石材間の縁部分２４１には通常、図３８に示すように、コーキング材が充填されてコーキング止水部２４２が形成される。該コーキング材を充填する際、図３８に示すように、該縁部分２４１の外端側を切欠し、該切欠により形成した隙間２４３を通してコーキング材を充填し、内側に向けて例えば１０〜２０ｍｍ幅でコーキング止水部２４２を形成する。これによって所要の墓石９が構築されることになる。
【００８０】
然して、かかる構成を有する耐震性の墓石９によるときは、図２０に示すように、基板部材１０と支柱部材１２と天板部材２２とが前記下の連結軸１２０によって強固に連結一体化されると共に、図２６に示すように、前記中台３と前記上板部材２３と前記天板部材２２とが前記上の連結軸１７６によって強固に連結一体化され、且つ、図３４に示すように、前記中台３と前記上台６と前記竿石７とが前記連結棒１４４によって強固に連結一体化されている。かかることから、該墓石９は、全体として耐震性に優れており、地震時の振動によっても転倒するのが確実に防止される。そして該下の連結軸１２０、該上の連結軸１７６、該連結棒１４４が、共に、墓石の内部に隠れた状態となって外から目視されないため、これらが墓石の外観を損なうこともない。
【００８１】
そして前記通気空間１４６の上側の頂部分１６０の下面１５０に、図３７に示すように、前記中台の連結排水孔１６１の孔下端１６５（図２５）に連通する状態で排出溝１６７ａが設けられており、該排出溝１６７ａは前記座金２３６の外方に延長し、その先側部分としての排水部１６７で、前記縦排水路２３９を流下した水を排出させるようになされている。又前記のように、前記下の連結軸１２０の周囲部分に下の縦方向排水路１２９（図２０）が形成されると共に、前記上の連結軸１７６の周囲部分に上の縦方向排水路１８１（図２６）が形成されている。
【００８２】
それ故、上下の石材５，５間の前記間隙２４０（図２、図３４、図３８）に雨水が侵入したり、石材５が吸収した水が該石材間の間隙２４０に侵入する等して該間隙２４０に介在した水の一部分を、前記縦排水路２３９（図３５）を通して流下させ、前記通気空間１４６において、前記排水部１６７（図３７）で排出させ得る。そして、前記上台６と前記中台３との間及び、前記竿石７と前記上台６との間で、前記集排水溝１６９と前記凍結逃がし溝２１６とが、上下向き合う状態で前記連結排水孔の孔上端や孔下端に連通状態となるように設けられている。本実施例においては、４本の集排水溝１６９と４本の凍結逃がし溝２１６が、上下向き合う状態で放射状に設けられている。
【００８３】
従って、前記上下の石材間の間隙２４０に介在した水を前記集排水溝１６９に効率的に流入させて集めた後、これを前記縦排水路２３９に円滑に流入させることができる。前記集排水溝１６９と前記凍結逃がし溝２１６とが上下向き合う状態とはなっても、上下の石材５，５間には間隙２４０が存するため（上下の石材５，５の当接する面は平滑でないために間隙２４０が存する）、該間隙２４０に介在した水を該集排水溝１６９に流入させることができる。
【００８４】
かかることから該間隙２４０に介在した水の多くの部分を、より速やかに排出できることになる。それ故、該間隙２４０に介在した水が前記連結棒１４４に長時間に亘って接触することにより該連結棒１４４の腐食を促進し、墓石９の耐震性を劣化させるといった恐れがない。
【００８５】
又、前記縦排水路２３９を流下する水の量が、円滑に流下する程度であれば問題はないが、流下しきれない水量であるときは、前記間隙２４０に水が溜まることになる。本発明においては、前記集排水溝１６９と前記凍結逃がし溝２１６とが上下向き合う状態となるため、前記間隙２４０における介在水の量が多くなったときには、先ず、該集排水溝１６９に貯留されるが、更に水量が多い場合は、上下向き合う状態の該集排水溝１６９と前記凍結逃がし溝２１６とが水の貯留部として機能し、図３９に示すように、前記間隙２４０に介在する水の多くを該貯留部で一時的に貯留できることとなる。
【００８６】
従って、該間隙２４０に介在する水が、上下の石材間の縁部分２４１（図３８）で流出するのを抑制でき、汚れた水による墓石９の汚損を防止できる。又、石材間の間隙２４０に雨水が侵入するのを抑制するために、図３８に示すように、上下の石材間の縁部分２４１にコーキング材を充填してコーキング止水部２４２を形成する場合は、このコーキング止水部２４２が、内側で長時間に亘って水に接触することに伴い劣化等するのを抑制できることとなる。即ち、該間隙２４０に介在した水が該コーキング止水部２４２に長時間に亘って接触した状態になると、該コーキング止水部２４２が劣化したり、コーキング止水部にひび割れが生じたり、これが剥がれたりして、止水効果が有効に発揮されなくなるという問題が生じやすいのであるが、これを防止できることになるのである。
【００８７】
そして寒冷地域にあっては、上下の石材間の間隙２４０に残存している水が凍結することがあるが、このように、間隙２４０に残存する水の量を少なくできるため、これが凍結したとしても上段の石材が浮き上がる現象が生じにくい。そして、該集排水溝１６９に残存している水が比較的多くてこれが凍結して体積膨張した際に該集排水溝１６９の上端２４５を越えたとしても、図４０に示すように、この越えた膨張部分を前記凍結逃がし溝２１６に逃がすことができる。これらによって、集排水溝１６９での凍結に伴う上段の石材の浮き上がり現象を抑制乃至防止できることになる。
【００８８】
このように、上段の石材の浮き上がり現象を抑制乃至防止できるため、前記竿石７の下面部に埋設されている前記雌ネジ部２２５に対する前記連結棒１４４の上端の雄ネジ部２３１の螺合状態が緩んだり、埋設状態にある雌ネジ部２２５が抜け方向に移動する現象を防止できることになる。かかることから本発明によるときは、連結棒１４４による墓石の耐震性能を長期間に亘って安定的に維持させ得ることとなる。
【００８９】
又本実施例においては図２に示すように、前記丘カロート構造物１の納骨用空間部２が、前記下の通気孔６５と、前記上の通気孔７５と、前記通気空間１４６，１８７，１８８（図３０）からなる通気路２０３の外端部をなす前記通気開口２００（図３０）を介して外気に連通状態とされているため、例えば図２に矢印で示すように、該納骨用空間部２の換気が良好に行われる。かかることから、前記連結棒１４４の下端の雄ネジ部２３２やナット２３７（図３４〜３５）等が腐食しにくく、これにより、前記墓石の耐震性能の劣化を抑制でき、墓石の耐震性能を、より長期間に亘って維持させ得ることとなる。
【００９０】
又本実施例においては、図３０に示すように、通気空間１４６の前面開口部１４９と下面開口部１５１との境界部分に棒状遮水壁１５２が左右方向に延長する状態で設けられており、該棒状遮水壁１５２の下面１５４が前記上板部材２３の上面２４６（図３０）に当接状態となるため、該前面開口部１４９の下縁２４７（図３０）は該上面２４６から浮き上がっている。本実施例においては３０ｍｍ浮き上がっている。かかることから、該上板部材２３の上面２４６に降った雨水が該棒状遮水壁１５２によって効果的に遮水され、該前面開口部１４９を通して前記通気空間１４６に侵入しにくい。これにより、雨水が通気空間１４６や納骨用空間部２に流入するのを極力防止できることになり、該納骨用空間部２の換気効率の向上に寄与できる。
【００９１】
そして前記丘カロート構造物１においては、図４１〜４３に矢印で示すように、下の連結軸１２０の周囲部分に形成された下の縦方向排水路１２９に流入した雨水や、前記支柱部材１２に設けられている前記縦嵌入溝３３への前記側板部材１５，１９，２０，２１の嵌め入れ部分２４９（図１８）の隙間を通して前記縦の排水路１０１（図２０）に吹き込み、該縦の排水路１０１を流下し前記排水間隙５１に達した雨水、更には、前記基板部材１０と前記支柱部材１２との接合部分の隙間を通して前記排水間隙５１に侵入した雨水は、前記基板の連結孔５９で形成されている下の縦方向排水路１２９を通して流下し排出される。その際、本実施例においては、図９に示すように、窪み部底面５０に４本の水誘導溝６１が放射状に設けられているため、前記排水間隙５１の水が基板の連結孔５９で形成されている該縦方向排水路１２９に向けてより円滑に誘導される。
【００９２】
もしも、基板部材１０に形成される該縦方向排水路１２９に苔が生える等して水が排出しにくくなって前記排水間隙５１に溜まったり、或いは、前記排水間隙５１に流入する水の量が多くてこれが該排水間隙５１に溜まった場合は、この水は図４１、図４３に示すように、前記排水路１０８に流れ、前記排水孔５６を通して排出される。これにより、前記下の連結軸１２０が長時間に亘って水に接触することに伴う丘カロート構造物１の耐震性の劣化を抑制でき、墓石の耐震性をより長期間に亘って維持させ得ることとなる。又、該排水間隙５１内の汚れた水が漏れ出て墓石を汚すのを防止できる。
【００９３】
本実施例においては前記のように、該基板の連結孔５９が、図９に示すように、前記排水溝５２を前記窪み部４５内で延長させたと仮定した場合の該排水溝５２の溝幅の範囲に全体が納まり或いはその一部が納まるように設定されているため、前記下の縦方向排水路１２９を流下した水が前記基板部材１０に設けられている下の縦方向排水路１２９の上端２５０（図４２）で溢れた状態となった場合、この水が速やかに前記排水路１０８に流れることになり、排水間隙５１における排水をより効率的に行い得ることとなる。
【００９４】
そして、前後隣り合う窪み部４５ａ，４５ｂ、４５ｃ，４５ｄを夫々連結するように左右の排水溝５２，５２が設けられると共に、後に位置する左右隣り合う窪み部４５ｂ，４５ｄを連結するように後の排水溝５２が設けられているため、何れの排水間隙５１内の水も、何れかの排水路１０８に流れることができ、前記排水孔５６を通して排出されることになる。なお本実施例においては、該排水路１０８には水勾配が設けられているため、該排水路１０８に流入した水を前記排水孔５６を通して速やかに排出させ得ることとなる。
【００９５】
そして図３４〜３７に示すように、前記縦排水路２３９が前記排水部１６７を介して前記通気空間１４６に連通しているため、上下の石材間の間隙２４０（図２、図３４）が該通気空間１４６に連通状態となっている。かかることから、該間隙２４０に介在した水の蒸発促進も期待できる。
【００９６】
なお本実施例においては、前記のように、上板の連結孔８０と上の通気孔７５とを連結するように排水用案内溝８１を設けているため、前記上の縦方向排水路１８１を流下した水は、該排水用案内溝８１を介して上の通気孔７５にも排出される。
【実施例２】
【００９７】
本発明は、前記実施例で示したものに限定されるものでは決してなく、「特許請求の範囲」の記載内で種々の設計変更が可能であることはいうまでもない。その一例を挙げれば次のようである。
【００９８】
(1) 図４４は、前に位置する窪み部４５ａ，４５ｃ相互も排水溝５２で連結した状態を示すものであり、該排水溝５２の溝底面の長さ方向の中間部分（例えば中央部位）に排水孔５６が上下方向に貫通する如く設けられている。
このように構成する場合は、図４５に示すように、前記前の側板部材１５の下面１０２の幅方向中心線に沿って、該排水溝５２に嵌入される下面突状部１０３を突設し、該下面突状部１０３が該排水溝５２に嵌め入れられた状態において、下面１０２の両側部分をなすカバー下面１０５，１０５が、該排水溝の上端の両側縁部分１０６，１０６に載置されるようになすのがよい。これにより、排水溝５２の上端の溝縁１０７，１０７が該カバー下面１０５，１０５で覆い隠された状態となる。そしてこの状態で、該下面突状部１０３の下面１０９と前記排水溝５２の溝底面５５との間に排水路１０８が形成されることになる。
【００９９】
(2) 本発明における各窪み部４５は、該窪み部と左右隣り合う他の窪み部又は該窪み部と前後隣り合う他の窪み部に、排水溝５２を介して連結されるものであるが、この構成は、全ての窪み部４５が、少なくとも一つの排水溝５２に連続するものであればよいことを意味する。
図４６は、前後隣り合う窪み部４５ａ，４５ｂ、４５ｃ，４５ｄ相互が排水溝５２で連結されており、左右隣り合う窪み部相互は排水溝で連結されていない状態を示すものである。又図４７は、左右隣り合う窪み部４５ａ，４５ｃ、４５ｂ，４５ｄ相互が排水溝５２で連結されており、前後隣り合う窪み部相互は排水溝で連結されていない状態を示すものである。
【０１００】
(3) 前記支柱部材１２の形態は、墓石を構成するに際して石材を支持する天板部材２２を安定的に支持できるものでありさえすれば、その形態は問わない。例えば、その横断面形状が前記した正方形状の他、円形状や六角形状等各種の柱状形態に構成され得る。又、該支柱部材１２は、上下全長に亘って略同一断面で同一寸法の形状に構成されることもある。図４８は上下全長に亘って、同一の正方形状断面に形成された場合を示すものであり、その軸線に沿って連結孔４２が設けられている。そしてこれに合わせて前記窪み部４５に、連結孔５９が設けられている。
【０１０１】
(4) 前記排水間隙５１に流入した水を、前記基板部材１０に形成される縦方向排水路１２９に向けて円滑に流入させ得る限り、前記水誘導溝６１は省略されることもある。
【図面の簡単な説明】
【０１０２】
【図１】本発明に係る耐震性丘カロート構造物を用いて構築された墓石を示す斜視図である。
【図２】その断面図である。
【図３】その分解斜視図である。
【図４】耐震性丘カロート構造物を示す横断面図である。
【図５】支柱部材を示す斜視図である。
【図６】支柱部材の底面図である。
【図７】支柱部材の嵌入突部を基板部材の窪み部に嵌め入れた状態を示す断面図である。
【図８】基板部材を示す斜視図である。
【図９】基板部材を示す平面図である。
【図１０】排水間隙と排水路の連通状態を示す断面図である。
【図１１】嵌入突部を窪み部に嵌め入れて支柱部材を基板部材に立設した状態を示す部分断面図である。
【図１２】天板部材を示す斜視図である。
【図１３】上板部材を示す斜視図と断面図である。
【図１４】上板部材の上の通気孔を通気蓋で塞いだ状態を示す断面図である。
【図１５】前の側板部材を示す斜視図である。
【図１６】前後左右の側板部材を前後左右の支柱部材に取り付けた状態を説明する断面図である。
【図１７】左右の側板部材と後の側板部材を、下面突状部を排水溝に嵌め入れた状態と共に示す斜視図と断面図である。
【図１８】基板部材の四隅に支柱部材を立設すると共に支柱部材間に側板部材を装着し且つ前の側板部材を扉板部材で塞いだ状態を示す斜視図である。
【図１９】隣り合う支柱部材間に側板部材を取り付ける作業工程を説明する斜視図である。
【図２０】耐震性丘カロート構造物を示す断面図である。
【図２１】耐震性丘カロート構造物を示す斜視図である。
【図２２】天板部材と支柱部材と基板部材とを連結一体化する下の連結軸の下の雄ネジ部に下のナットを螺合して締め付けた状態を示す断面図と、該下のナットを収容する拡大孔の頂面に設けられた頂面排出溝を示す平面図である。
【図２３】前記下の連結軸の下の雄ネジ部に、排出用座金を介してナットを締め付けた状態を示す断面図と、該排出用座金を示す斜視図である。
【図２４】中台を示す斜視図と、その上面中央部分を示す拡大斜視図である。
【図２５】中台の部分断面図と、中台の通気空間の頂部分の構成を説明する一部欠切斜視図である。
【図２６】中台を、上の連結軸を用いて、耐震性丘カロート構造物と連結一体化した状態を示す断面図である。
【図２７】上の連結軸の下の雄ネジ部にナットを螺合し締め付けた他の態様を示す断面図である。
【図２８】下の連結軸の下の雄ネジ部に、排出用座金を介してナットを螺合し締め付けた状態を示す断面図である。
【図２９】水鉢を線香立て兼用通気具と共に示す斜視図である。
【図３０】線香立て兼用通気具を水鉢の取り付け孔に取り付けた状態を、納骨用空間部の通気状態と共に示す断面図である。
【図３１】上台を示す斜視図である。
【図３２】上台を示す断面図と、上下向き合う状態にある集排水溝と凍結逃がし溝を示す断面図である。
【図３３】竿石を示す斜視図とその下端部分の断面図と、上下向き合う状態にある集排水溝と凍結逃がし溝を示す断面図である。
【図３４】中台と上台と竿石とを連結棒を用いて連結一体化した状態を示す断面図である。
【図３５】その連結部分を、水の移動状態と共に示す断面図である。
【図３６】上の連結軸の下の雄ネジ部にナットを螺合し締め付けた状態を示す斜視図である。
【図３７】その断面図である。
【図３８】上下の石材間の縁部分にコーキング材を充填した状態を示す断面図である。
【図３９】上下向き合う状態の集排水溝と凍結逃がし溝とが、水の貯留部として機能している状態を示す断面図である。
【図４０】集排水溝に残存している水が凍結し、その一部が凍結逃がし溝に逃がされた状態を示す断面図である。
【図４１】下の縦方向排水路を流下した雨水、縦の排水路を流下した雨水、排水間隙の雨水、排水間隙に侵入した雨水が排水路に流入する状態を示す説明図である。
【図４２】縦方向排水路を流下した水の排出状態と、縦方向排水路と縦の排水路を流下した水が排水路に流入する状態を示す説明図である。
【図４３】排水間隙の水と縦の排水路を流下した水が排水路に流入して後、排水孔で排出される状態を示す説明図である。
【図４４】排水溝による窪み部相互の連結状態の他の態様を説明する平面図である。
【図４５】前の側板部材の他の態様を説明する斜視図である。
【図４６】排水溝による窪み部相互のその他の連結状態を示す平面図である。
【図４７】排水溝による窪み部相互のその他の態様を説明する平面図である。
【図４８】支柱部材の他の態様を、窪み部と共に示す斜視図である。
【図４９】従来の耐震墓石の構造を説明する断面図である。
【図５０】従来の丘カロート構造物を示す斜視図である。
【符号の説明】
【０１０３】
１  丘カロート構造物
２  納骨用空間部
３  中台
５  石材
６  上台
７  竿石
９  墓石
１０  基板部材
１２  支柱部材
１５  前の側板部材
１９  左の側板部材
２０  右の側板部材
２１  後の側板部材
２２  天板部材
２３  上板部材
２７  内側支柱側面
３３  縦嵌入溝
３６  嵌入突部
４１  カバー縁面
４２  支柱の連結孔
４５  窪み部
５１  排水間隙
５２  排水溝
５６  排水孔
５９  基板の連結孔
６５  下の通気孔
６６  外側の天板の連結孔
６９  内側の天板の連結孔
７５  上の通気孔
７８  通気蓋
８０  上板の連結孔
８１  排水用案内溝
８３  水切り溝
８７  水鉢
９３  側面突状部
９５  カバー側面
９６  縦嵌入溝の側縁部分
９７  縦嵌入溝の溝縁
１０１  縦の排水路
１０３  下面突状部
１０５  カバー下面
１０６  排水溝の上端の側部分
１０７  排水溝の上端の溝縁
１０８  排水路
１２０  下の連結軸
１２１  雄ネジ部
１２２  雄ネジ部
１２５  下のナット
１２７  上のナット
１２９  下の縦方向排水路
１３０  基板の排出部
１３３  頂面排出溝
１４４  連結棒
１４６  通気空間
１５２  棒状遮水壁
１６９  集排水溝
１７６  上の連結軸
１９３  線香立て兼用通気具
２０３  通気路
２１６  凍結逃がし溝
２３９  縦排水路
２４０  上下の石材間の間隙
【図１】
0004724724.tif 000002
【図２】
0004724724.tif 000003
【図３】
0004724724.tif 000004
【図４】
0004724724.tif 000005
【図５】
0004724724.tif 000006
【図６】
0004724724.tif 000007
【図７】
0004724724.tif 000008
【図８】
0004724724.tif 000009
【図９】
0004724724.tif 000010
【図１０】
0004724724.tif 000011
【図１１】
0004724724.tif 000012
【図１２】
0004724724.tif 000013
【図１３】
0004724724.tif 000014
【図１４】
0004724724.tif 000015
【図１５】
0004724724.tif 000016
【図１６】
0004724724.tif 000017
【図１７】
0004724724.tif 000018
【図１８】
0004724724.tif 000019
【図１９】
0004724724.tif 000020
【図２０】
0004724724.tif 000021
【図２１】
0004724724.tif 000022
【図２２】
0004724724.tif 000023
【図２３】
0004724724.tif 000024
【図２４】
0004724724.tif 000025
【図２５】
0004724724.tif 000026
【図２６】
0004724724.tif 000027
【図２７】
0004724724.tif 000028
【図２８】
0004724724.tif 000029
【図２９】
0004724724.tif 000030
【図３０】
0004724724.tif 000031
【図３１】
0004724724.tif 000032
【図３２】
0004724724.tif 000033
【図３３】
0004724724.tif 000034
【図３４】
0004724724.tif 000035
【図３５】
0004724724.tif 000036
【図３６】
0004724724.tif 000037
【図３７】
0004724724.tif 000038
【図３８】
0004724724.tif 000039
【図３９】
0004724724.tif 000040
【図４０】
0004724724.tif 000041
【図４１】
0004724724.tif 000042
【図４２】
0004724724.tif 000043
【図４３】
0004724724.tif 000044
【図４４】
0004724724.tif 000045
【図４５】
0004724724.tif 000046
【図４６】
0004724724.tif 000047
【図４７】
0004724724.tif 000048
【図４８】
0004724724.tif 000049
【図４９】
0004724724.tif 000050
【図５０】
0004724724.tif 000051